(57)【要約】【課題】便器の取付孔の長さに関わらず、温水洗浄便座装置の本体が着脱自在に連結されるプレートを便器の後部の据付部の上面にを堅固に固定することができる温水洗浄便座装置の取付具を提供する。【解決手段】取付具２０は、便器１０の後部の据付部１１を上下方向に貫通する取付孔１２に挿入され長手方向に間隔をおいて複数の弾性変形部２１ａ〜２１ｃを有する筒形弾性部材２１と、頭部２７ｂ及び軸部を有し頭部がプレート３１と係合する態様で軸部が上側から下側に向かうように筒形弾性部材内に挿入されたボルト２７と、筒形弾性部材の内部に固定され、ボルトの軸部と螺着されるナット２３とを備える。ナットは、ボルトの一側方向への回転よりナットが上昇し、この上昇により、複数の弾性変形部が下側のものから順次径方向に拡張するようにし、径方向に拡張された複数の弾性変形部の一つが、取付孔の下側の縁部と係合する。【選択図】図４
2007247228.tif 000002
【特許請求の範囲】
【請求項１】
温水洗浄便座装置の本体が着脱自在に連結されるプレートを便器の後部の据付部の上面に固定する取付具であって、
前記据付部を上下方向に貫通する取付孔に挿入され、長手方向に間隔をおいて複数の弾性変形部を有する筒形弾性部材と、
頭部及び軸部を有し、前記頭部が前記プレートと係合する態様で前記軸部が上側から下側に向かうように前記筒形弾性部材内に挿入されたボルトと、
前記筒形弾性部材の内部に固定され、前記ボルトの前記軸部と螺着されるナットとを備え、
前記ボルトの一側方向への回転により前記ナットが上昇し、この上昇により、前記複数の弾性変形部が下側のものから順次径方向に拡張するようにし、径方向に拡張された前記複数の弾性変形部の一つが、前記取付孔の下側の縁部と係合する、温水洗浄便座装置の取付具。
【請求項２】
請求項１に記載の温水洗浄便座装置の取付具において、
前記筒形弾性部材は、最上部の前記弾性変形部の上側に薄肉部を有することを特徴とする温水洗浄便座装置の取付具。
【請求項３】
請求項１又は２に記載の温水洗浄便座装置の取付具において、
前記ナットは、前記筒形弾性部材の下端面と当接するフランジを有することを特徴とする温水洗浄便座装置の取付具。
【請求項４】
請求項１〜３のいずれか一項に記載の温水洗浄便座装置の取付具において、
前記筒形弾性部材は、前記各弾性変形部の上側に連続する直線部を有し、
前記直線部の内径は、前記ナットの外径よりも小さく設定されていることを特徴とする温水洗浄便座装置の取付具。
【発明の詳細な説明】
【技術分野】
【０００１】
本発明は、温水洗浄便座装置の取付具に関するものである。
【背景技術】
【０００２】
従来、温水洗浄便座装置の取付具としては、例えば特許文献１に記載されたものが知られている。この取付具は、便器の後部に形成された取付孔に挿入される円筒形弾性変形部材と、円筒形弾性変形部材の外周側に組み付けられた円筒形の補助部材と、円筒形弾性変形部材に挿入されるボルトと、円筒形弾性変形部材に設けられボルトと螺合するナットとを備える。このような構造において、ボルトをナットに締め付けて該ナットを上側に移動させると、円筒形弾性変形部材が径方向に拡張するように弾性変形する。これに伴い、補助部材は、径方向に拡張するように弾性変形して取付孔に押し付けられ、その保持力（摩擦力）にて温水洗浄便座装置の一部品であるベースプレートが便器に固定される。従って、取付孔が長く肉厚な便器であっても、取付具によるベースプレートの固定が可能となっている。
【特許文献１】特開２００１−２９２９３１号公報
【発明の開示】
【発明が解決しようとする課題】
【０００３】
ところで、特許文献１の取付具では、取付孔の内周側で補助部材を径方向に拡張させて便器に固定する方式であるため、例えば使用者が温水洗浄便座装置の袖部（操作パネル部など）に肘をついて立ち上がるなど温水洗浄便座装置の本体に大きな力が加わると、取付孔に押し付けられる補助部材の摩擦力だけでは不十分で、取付具が抜ける可能性がある。
【０００４】
本発明の目的は、便器の取付孔の長さに関わらず、温水洗浄便座装置の本体が着脱自在に連結されるプレートを便器の後部の据付部の上面に堅固に固定することができる温水洗浄便座装置の取付具を提供することにある。
【課題を解決するための手段】
【０００５】
上記問題点を解決するために、請求項１に記載の発明は、温水洗浄便座装置の本体が着脱自在に連結されるプレートを便器の後部の据付部の上面に固定する取付具であって、前記据付部を上下方向に貫通する取付孔に挿入され、長手方向に間隔をおいて複数の弾性変形部を有する筒形弾性部材と、頭部及び軸部を有し、前記頭部が前記プレートと係合する態様で前記軸部が上側から下側に向かうように前記筒形弾性部材内に挿入されたボルトと、前記筒形弾性部材の内部に固定され、前記ボルトの前記軸部と螺着されるナットとを備え、前記ボルトの一側方向への回転により前記ナットが上昇し、この上昇により、前記複数の弾性変形部が下側のものから順次径方向に拡張するようにし、径方向に拡張された前記複数の弾性変形部の一つが、前記取付孔の下側の縁部と係合することを要旨とする。
【０００６】
同構成によれば、前記ボルトの一側方向への回転に伴い、ねじ作用で前記ナットが上昇することで、前記複数の弾性変形部が下側のものから順次径方向に拡張され、径方向に拡張された前記複数の弾性変形部の一つが、前記取付孔の下側の縁部と係合される。従って、前記据付部の上面と前記ボルトの頭部とで挟持された前記プレートは、径方向に拡張された前記複数の弾性変形部の一つが、前記取付孔の下側の縁部と係合されることで、取付具の抜け方向の力に対し堅固に固定される。この際、前記取付孔の長さに応じて径方向に拡張される前記弾性変形部の個数が変更されることで、前記取付孔の長さに関わらず、前記プレートを前記据付部の上面に堅固に固定することができる。
【０００７】
請求項２に記載の発明は、請求項１に記載の温水洗浄便座装置の取付具において、前記筒形弾性部材は、最上部の前記弾性変形部の上側に薄肉部を有することを要旨とする。
同構成によれば、取付孔が短く肉薄な便器に前記プレートを固定する場合において、最上部の前記弾性変形部を径方向に拡張させるとき、当該弾性変形部の上側に設けられた薄肉部により筒形弾性部材の弾性変形が促進されるため、前記プレートの固定作業をより円滑に行うことができる。なお、前記薄肉部は、最上部の弾性変形部の上側に設けられているため、それよりも下側の弾性変形部の弾性変形に影響を及ぼすことはない。
【０００８】
請求項３に記載の発明は、請求項１又は２に記載の温水洗浄便座装置の取付具において、前記ナットは、前記筒形弾性部材の下端面と当接するフランジを有することを要旨とする。
【０００９】
同構成によれば、前記ボルトの一側方向への回転に伴い、前記ナットが上昇する際、前記筒形弾性部材は、その下端面が前記フランジに押圧されることでボルトの軸線に沿って真っ直ぐに押し上げられる。従って、各弾性変形部の弾性変形をより安定した状態で行うことができる。
【００１０】
請求項４に記載の発明は、請求項１〜３のいずれか一項に記載の温水洗浄便座装置の取付具において、前記筒形弾性部材は、前記各弾性変形部の上側に連続する直線部を有し、前記直線部の内径は、前記ナットの外径よりも小さく設定されていることを要旨とする。
【００１１】
同構成によれば、前記直線部の内径は、前記ナットの外径よりも小さく設定されていることで、該ナットが任意の弾性変形部を完全に弾性変形させて更に上昇する際、前記直線部に干渉されて該ナットの前記筒形弾性部材（直線部）内へののめり込みを抑制することができる。特に、請求項３に記載の構成にこの構成が適用されることで、前記ナットの前記筒形弾性部材（直線部）内へののめり込みをより確実に抑制することができる。
【発明の効果】
【００１２】
請求項１乃至４に記載の発明では、便器の取付孔の長さに関わらず、温水洗浄便座装置の本体が着脱自在に連結されるプレートを便器の後部の据付部の上面に堅固に固定することができる温水洗浄便座装置の取付具を提供することができる。
【発明を実施するための最良の形態】
【００１３】
以下、本発明を具体化した一実施形態を図面に従って説明する。
図１に示されるように、便器１０の後部の据付部１１には、該据付部１１を上下方向に貫通する取付孔１２に挿入された取付具２０により、温水洗浄便座装置３０の一部品である樹脂製のプレート３１が固定されるとともに、該プレート３１には温水洗浄便座装置３０の本体３２が着脱自在に結合されている。すなわち、プレート３１と本体３２の底部３３とは、図示されない機構により凹凸嵌合されており、通常は、これらプレート３１と本体３２の底部３３とはロックされて不離一体化されているものの、このロックが解除された場合は、プレート３１と本体３２の底部３３との相対移動が許容される。このとき、温水洗浄便座装置３０の本体３２全体を便器１０の前方（図１では右方向）に引き出すと、該本体３２は便器１０から取り外されて、例えば便器１０の表面を清掃可能としている。つまり、温水洗浄便座装置３０は、いわゆるスライド式で便器１０に取り付けられている。
【００１４】
図２（ａ）（ｂ）に示されるように、前記取付具２０の外形をなす弾性材（例えばゴムなど）からなる筒形弾性部材２１は、長手方向に間隔をおいて下側から順番に複数（３つ）の玉状の弾性変形部２１ａ，２１ｂ，２１ｃを形成するとともに、各隣り合う弾性変形部２１ａ，２１ｂ，２１ｃ間を連結する直線部２１ｄ，２１ｅを形成し、更に最下部の弾性変形部２１ａに連続して下側に直線状に延びる下端部２１ｆ及び最上部の弾性変形部２１ｃに連続して上側に直線状に延びる上端部２１ｇをそれぞれ形成する。また、筒形弾性部材２１の上下方向に貫通する孔２２は、各直線部２１ｄ，２１ｅに対応して内径が一定の内周面２２ａ，２２ｂを形成する。
【００１５】
なお、前記下端部２１ｆには、ナット２３が一体的に装着されるとともに、該ナット２３の外向きのフランジ２３ａには前記下端部２１ｆの下端面が当接され、更に該ナット２３の上端面には前記内周面２２ａに沿って挿入された金属材からなる円筒状のスペーサ２４の下端面が当接されている。孔２２（内周面２２ａ，２２ｂ）の内径がナット２３の内径及び外径の中間の値に設定されていることはいうまでもない。また、前記上端部２１ｇには、上側に拡開される態様で多角形状の嵌合孔２１ｈが形成されている。さらに、前記上端部２１ｇは、長手方向中間部において、その内周面が径方向外側に環状に凹設されて、薄肉部２１ｉを形成する。
【００１６】
前記嵌合孔２１ｈには、前記プレート３１に形成された孔３１ａに挿通されて該プレート３１に対し回転不能に係止された樹脂製のワッシャ２５の筒状の嵌合部２５ａが回転不能に嵌合されるとともに、該嵌合部２５ａの上側に形成されたフランジ２５ｂには、前記孔３１ａの周縁部においてプレート３１の上面が当接されている。従って、ワッシャ２５は、プレート３１により下方への移動が規制されている。
【００１７】
前記ワッシャ２５には、金属製のワッシャ２６を介して金属製のボルト２７の軸部２７ａが回転可能に挿通されるとともに、該ボルト２７は、軸部２７ａのねじ部を有する先端部において、前記ナット２３に螺合されている。上記軸部２７ａは、筒形弾性部材２１内に遊挿されていることはいうまでもない。なお、ボルト２７の頭部２７ｂには、ワッシャ２６の上面が当接されている。従って、ボルト２７は、ワッシャ２６により下方への移動が規制されている。
【００１８】
このような構造を有する取付具２０は、国内で流通する主要な全ての便器１０の取付孔１２の内径（例えばφ１８〜２０ｍｍ）に対応してこれに挿入できるように筒形弾性部材２１の外形が成形されている。また、上記取付具２０は、国内で流通する主要な全ての便器１０の取付孔１２の長さ（例えば１３〜６７ｍｍ）に対応して、少なくとも最下部の弾性変形部２１ａが取付孔１２の下側に露出するように筒形弾性部材２１の長さが設定されている。
【００１９】
さて、取付孔１２に挿入された筒形弾性部材２１に、ボルト２７の頭部２７ｂがワッシャ２５，２６を介してプレート３１と係合する態様で該プレート３１の上側からボルト２７の軸部２７ａを挿入し、その先端部（ねじ部）を前記ナット２３と螺着する。この状態で、前記ボルト２７を締め付け側となる一側方向に回転させると、ワッシャ２５を介して筒形弾性部材２１（ナット２３）がプレート３１に対し回転不能とされていることで、前記ナット２３はねじ作用で上側に移動し、図３に示したように、まず、最下部の弾性変形部２１ａを径方向に拡張するように弾性変形させる。
【００２０】
このとき、前記ナット２３の上面は、内周面２２ａの径方向外側の周縁部に対向する。従って、前記ボルト２７を更に一側方向に回転させて前記ナット２３を上側に移動させると、該ナット２３は、内周面２２ａにのめり込むことなく次の弾性変形部２１ｂを径方向に拡張するように弾性変形させる。同様に、前記ボルト２７を更に一側方向に回転させて前記ナット２３を上側に移動させると、該ナット２３は、次（最上部）の弾性変形部２１ｃを径方向に拡張するように弾性変形させる。つまり、ナット２３は、前記ボルト２７の一側方向への回転に伴い上側に移動することで、複数の弾性変形部２１ａ〜２１ｃを下側から上側に向かって順番に径方向に拡張するように弾性変形させる。
【００２１】
図４（ａ）（ｂ）は、取付孔１２が長く肉厚な便器１０及び取付孔１２が短く肉薄な便器１０のそれぞれに対してプレート３１を固定する場合を示す模式図である。図４（ａ）に示したように、肉厚な便器１０では、プレート３１の孔３１ａを介して取付孔１２に挿入された取付具２０は、ナット２３と螺合するボルト２７を一側方向に回転させることで、該ナット２３の上側への移動に伴い、取付孔１２の下側で、最下部の弾性変形部２１ａのみが径方向に拡張するように弾性変形される。従って、前記据付部１１の上面と前記ボルト２７の頭部２７ｂとで挟持された前記プレート３１は、取付孔１２よりも大径となるように径方向に拡張された最下部の弾性変形部２１ａが、前記取付孔１２の下側の縁部と係合されることで、便器１０（据付部１１）に固定される。このとき、径方向に拡張された弾性変形部２１ａが取付孔１２の内周面に弾着することはない。
【００２２】
一方、図４（ｂ）に示したように、肉薄な便器１０では、プレート３１の孔３１ａを介して取付孔１２に挿入された取付具２０は、ナット２３と螺合するボルト２７を一側方向に回転させることで、該ナット２３の上側への移動に伴い、取付孔１２の下側で、下側から上側に向かって順番に全ての弾性変形部２１ａ〜２１ｃが径方向に拡張するように弾性変形される。この際、最上部の弾性変形部２１ｃの弾性変形に合わせて、薄肉部２１ｉにより筒形弾性部材２１（上端部２１ｇ）の弾性変形が促進される。そして、前記据付部１１の上面と前記ボルト２７の頭部２７ｂとで挟持された前記プレート３１は、取付孔１２よりも大径となるように径方向に拡張された最上部の弾性変形部２１ｃが、前記取付孔１２の下側の縁部と係合されることで、便器１０（据付部１１）に固定される。このとき、径方向に拡張された弾性変形部２１ｃが取付孔１２の内周面に弾着することはない。
【００２３】
そして、温水洗浄便座装置３０は、プレート３１に対し本体３２が結合されることで、便器１０に固定される。
なお、これらの中間の厚さの便器１０では、前記据付部１１の上面と前記ボルト２７の頭部２７ｂとで挟持された前記プレート３１は、取付孔１２よりも大径となるように径方向に拡張された中間部の弾性変形部２１ｂが、前記取付孔１２の下側の縁部と係合されることで、便器１０（据付部１１）に固定されることはいうまでもない。
【００２４】
以上詳述したように、本実施形態によれば、以下に示す効果が得られるようになる。
（１）本実施形態では、前記ボルト２７の一側方向への回転に伴い、ねじ作用で前記ナット２３が上昇することで、前記複数の弾性変形部２１ａ〜２１ｃが下側のものから順次径方向に拡張され、径方向に拡張された複数の弾性変形部２１ａ〜２１ｃの一つが、前記取付孔１２の下側の縁部と係合される。従って、前記据付部１１の上面と前記ボルト２７の頭部２７ｂとで挟持された前記プレート３１は、径方向に拡張された複数の弾性変形部２１ａ〜２１ｃの一つが、前記取付孔１２の下側の縁部と係合されることで、取付具２０の抜け方向の力に対し堅固に固定される。そして、温水洗浄便座装置３０の本体３２に大きな力が加わる場合であっても、取付具２０の抜けを防止することができる。
【００２５】
また、前記取付孔１２の長さに応じて径方向に拡張するように弾性変形される前記弾性変形部２１ａ〜２１ｃの個数が変更されることで、前記取付孔１２の長さに関わらず、前記プレート３１を前記据付部１１の上面に堅固に固定することができる。つまり、プレート３１の挟持に係る前記弾性変形部２１ａ〜２１ｃを複数にしたことで、前記取付孔１２の長さに対する温水洗浄便座装置３０の取り付けの自由度が向上されている。
【００２６】
（２）本実施形態では、取付孔１２が短く肉薄な便器１０にプレート３１を固定する場合において、最上部の弾性変形部２１ｃを径方向に拡張するように弾性変形させるとき、当該弾性変形部２１ｃの上側（上端部２１ｇ）に設けられた薄肉部２１ｉにより筒形弾性部材２１（上端部２１ｇ）の弾性変形が促進されるため、プレート３１の固定作業をより円滑に行うことができる。なお、前記薄肉部２１ｉは、最上部の弾性変形部２１ｃの上側に設けられているため、それよりも下側の弾性変形部２１ａ，２１ｂの弾性変形に影響を及ぼすことはない。
【００２７】
（３）本実施形態では、前記ボルト２７の一側方向への回転に伴い、前記ナット２３が上側に移動する際、前記筒形弾性部材２１は、その下端面が前記フランジ２３ａに押圧されることでボルト２７の軸線に沿って真っ直ぐに押し上げられる。従って、各弾性変形部２１ａ〜２１ｃの弾性変形をより安定した状態で行うことができる。
【００２８】
（４）本実施形態では、前記直線部２１ｄ，２１ｅ（内周面２２ａ，２２ｂ）の内径は、前記ナット２３の外径よりも小さく設定されていることで、該ナット２３が最上部を除く任意の弾性変形部２１ａ，２１ｂを完全に弾性変形させて更にその上側に移動する際、前記直線部２１ｄ，２１ｅ（内側の肉部）に干渉されて該ナット２３の前記筒形弾性部材２１（直線部）内へののめり込みを抑制することができる。そして、直上の弾性変形部の弾性変形へと円滑に進むことができる。特に、前記筒形弾性部材２１は、その下端面が前記フランジ２３ａに押圧されることでボルト２７の軸線に沿って真っ直ぐに押し上げられることで、前記ナット２３の上述したのめり込みをより確実に抑制することができる。薄肉の便器１０や中間の便器１０に対し、特に奏効することはいうまでもない。
【００２９】
（５）本実施形態では、従来例（特許文献１）のように補助部材を設ける必要がないため、部品点数及びコストの低減を図ることができる。
なお、上記実施形態は以下のように変更してもよい。
【００３０】
・前記実施形態において、筒形弾性部材２１の弾性変形部は、複数であればいくつであってもよい。
【図面の簡単な説明】
【００３１】
【図１】本発明が適用される便器及び温水洗浄便座装置を概略的に示す側面図。
【図２】（ａ）（ｂ）は、本発明の一実施形態を示す断面図。
【図３】同実施形態の動作を示す断面図。
【図４】（ａ）（ｂ）は、同実施形態の動作を示す模式図。
【符号の説明】
【００３２】
１０…便器、１１…据付部、１２…取付孔、２０…取付具、２１…筒形弾性部材、２１ａ〜２１ｃ…弾性変形部、２１ｄ，２１ｅ…直線部、２１ｉ…薄肉部、２２…孔、２２ａ，２２ｂ…内周面、２３…ナット、２３ａ…フランジ、２５…ワッシャ、２７…ボルト、２７ａ…軸部、２７ｂ…頭部、３０…温水洗浄便座装置、３１…プレート、３２…本体。
【図１】
2007247228.tif 000003
【図２】
2007247228.tif 000004
【図３】
2007247228.tif 000005
【図４】
2007247228.tif 000006